(57)【要約】      （修正有）【課題】液晶サイズが限られているコンシューマ向け機器において、複数の設定項目に要する操作回数を減らすことができ、利用者にとって分かり易い画像処理装置を提供する。【解決手段】第１の指示手段によって指示された複数の設定項目のうちの１つの設定項目が、第１の選択手段によって選択されたときに、第１の画面から第２の画面に表示を切り替える切替手段を有する。また、上記第２の画面に表示されている上記複数の選択肢のうちで、第２の指示手段の指示に応答して、全ての選択肢をループ状に表示するように上記第２の画面を切り替える手段を有する。【選択図】図３
2008040957.tif 000002
【特許請求の範囲】
【請求項１】
複数の設定項目を表示する第１の画面上で、上記複数の設定項目のうちの１つを指示するための第１の指示手段と；
上記第１の画面上で、上記第１の指示手段によって指示され、上記複数の設定項目のうちの１つを選択するための第１の選択手段と；
上記第１の選択手段によって選択された設定項目に対応した複数の選択肢を表示する第２の画面上で、上記複数の選択肢のうちの１つを指示するための第２の指示手段と；
上記第２の画面上で、上記第２の指示手段によって指示された上記複数の選択肢のうちの１つを選択するための第２の選択手段と；
上記第１の指示手段によって指示された上記複数の設定項目のうちの１つの設定項目が、上記第１の選択手段によって選択されたときに、上記第１の画面から上記第２の画面に表示を切り替える切替手段と；
を有し、上記第２の画面に表示されている上記複数の選択肢のうちで、上記第２の指示手段の指示に応答して、上記切替手段は上記全ての選択肢をループ状に表示するように上記第２の画面を切り替えることを特徴とする表示入力装置。
【請求項２】
請求項１において、
上記第２の画面から上記第１の画面に戻ることを指示する戻り指示手段を有し、
上記第２の画面上で、ループ状に表示される上記選択肢が、上記第２の選択手段によって選択された際に、選択された選択肢を記憶しつつ、上記第２の画面を表示したままで、引き続き別の選択肢を指示、選択し続けられるように制御する制御手段を有することを特徴とする表示入力装置。
【請求項３】
請求項１において、
上記第２の画面上で、ループ状に表示されている上記選択肢が、上記第２の選択手段によって選択された際に、選択された選択肢を記憶しつつ、上記第１の画面に戻るように制御する制御手段を有することを特徴とする表示入力装置。
【請求項４】
請求項１〜請求項３のいずれか１項において、
上記第２の画面上で、ループ状に表示されている上記選択肢のうちで、上記第２の選択手段によって既に選択された選択肢と、選択されていない選択肢とを互いに区別して表示することを特徴とする表示入力装置。
【請求項５】
請求項３または請求項４において、
上記第１の指示手段は、上記第２の画面上で、上記第２の選択手段を介して選択した後に、上記第１の画面上に戻った際に、上記第１の画面上で、上記第２の選択手段によって選択された上記選択肢に対応する上記設定項目を指示する手段であることを特徴とする表示入力装置。
【請求項６】
請求項１〜請求項５のいずれか１項において、
上記第２の画面上で、連続的に表示されている上記選択肢は、対応する上記設定項目毎にグループ化され、上記第２の画面上で、グループ毎の区別をつけて表示されていることを特徴とする表示入力装置。
【請求項７】
複数の設定項目を表示する第１の画面上で、上記複数の設定項目のうちの１つを指示するための第１の指示手段と、上記第１の画面上で、上記第１の指示手段によって指示され、上記複数の設定項目のうちの１つを選択するための第１の選択手段と、上記第１の選択手段によって選択された設定項目に対応した複数の選択肢を表示する第２の画面上で、上記複数の選択肢のうちの１つを指示するための第２の指示手段と、上記第２の画面上で、上記第２の指示手段によって指示された上記複数の選択肢のうちの１つを選択するための第２の選択手段とを具備する表示入力装置の制御方法において、
上記第１の指示手段によって指示された上記複数の設定項目のうちの１つの設定項目が、上記第１の選択手段によって選択されたときに、上記第１の画面から上記第２の画面に表示を切り替える工程と；
上記第２の画面に表示されている上記複数の選択肢のうちで、上記第２の指示手段の指示に応答して、上記全ての選択肢をループ状に表示するように上記第２の画面を切り替える工程と；
を有することを特徴とする表示入力装置の制御方法。
【発明の詳細な説明】
【技術分野】
【０００１】
本発明は、画像処理装置等において、機能設定を行う表示入力装置に関する。
【背景技術】
【０００２】
近年、液晶表示器の低価格化等によって、コンシューマ向けの画像処理装置であるプリンタ、ＭＦＰやフォトダイレクト機等において、カラー液晶を搭載する機種が増えている。これらの機種は、コンシューマ向けの価格であるので、それほど大きな表示装置を搭載することは難しい。
【０００３】
一方で、画像処理装置はより多機能になり、機能ごとに設定すべき項目が多い。限られた液晶表示装置のなかで、多数の設定を、利用者にわかりやすく設定させるために、ユーザインタフェース（以下「ＵＩ」という）の担うべき役割は増加している。
【０００４】
図６は、従来よく知られている設定の入力方法を説明する図である。
【０００５】
図６に示す設定入力形式を、本明細書では、「メニュー形式」と呼ぶ。図６において、画像処理装置等の表示入力装置上に表示される画面７１〜７４が記載されている。
【０００６】
画面７１に、設定すべき項目が表示され、たとえば「１．用紙設定」を選択すると、画面７２に、複数の用紙の選択肢が表示される。この中の１つを選択した後に、画面７１に戻る。
【０００７】
この入力方法は、選択項目の１つだけを設定したい場合、操作回数が少ないが、全ての選択項目を設定する場合、冗長な階層の上り下りを繰り返すことになるという問題がある。たとえば、図６に示す場合、画面７１で「１．用紙設定」を選択し、画面７２に表示されている選択肢の中から１つの選択肢を選択し、元の画面７１に戻る。画面７１で、「２．紙種設定」を選択し、画面７３に表示されている選択肢の中から１つを選択し、元の画面７１に戻る。そして、画面７１で「３．画質設定」を選択し、画面７４に表示されている選択肢の中から１つを選択し、元の画面７１に戻る。このような手順を実行する。
【０００８】
また、このようなメニュー形式において、しばしば選択肢の画面で前回設定された選択肢またはデフォルトの選択肢に、印をつけたり、その選択肢にカーソルが表示される等の工夫がされている場合がある。たとえば、画面７４にカーソル７５が表示される。
【０００９】
高価な大型液晶を採用していれば、設定項目を選択する画面、たとえば画面７１に、設定項目毎に設定値を表示すればよいが、小さい液晶画面では、これが難しい場合が多い。その点、画面７２〜７４のような選択肢画面に、カーソル機能と兼ねて表示することは、画面効率も良く、多く採用されている方法である。
【００１０】
しかし、このデフォルト表示は、メニュー形式において、各設定項目の設定値を調べるためには、上記と同様に、階層の上り下りをする必要があり、冗長な操作手順を必要とするという問題がある。
【００１１】
上記のメニュー形式をさらに改良した装置が知られている（たとえば、特許文献１参照）。
【特許文献１】特開平８−１１０７３５号公報
【発明の開示】
【発明が解決しようとする課題】
【００１２】
しかし、特許文献１に開示されている従来装置は、オフィス向けの比較的高価で、液晶の大きな機種には有効であるが、液晶サイズが限られているコンシューマ向け機器では、その実現が難しいという問題がある。
【００１３】
また、全ての設定項目を設定する場合、上記と同様に、冗長な階層の上り下りを繰り返すという問題がある。
【００１４】
図７は、従来よく知られている設定の入力方法を示す図である。
【００１５】
図７に示す入力形式を、本明細書では、「ウイザード形式」と呼ぶ。
【００１６】
上記ウイザード形式は、画面９１で設定を行うことを選択すると、画面９２、９３、９４の順で、それぞれの設定項目を選択する入力形式である。
【００１７】
このウイザード形式は、全ての設定項目を設定したい場合、上記メニュー形式のような階層の上り下りが発生せず、少ない入力回数で全てを設定することができる。
【００１８】
しかし、ウイザード形式では、設定項目１つだけを設定したい場合、たとえば、図７に示す画面９３「紙種」だけを設定したい場合も、画面９２、９４を通り、無駄なキー入力をしなければならないという問題がある。
【００１９】
また、画面９２、９４で、前回に入力した設定内容を保存したり表示するような工夫がなければ、誤設定を誘発するという問題がある。
【００２０】
本発明は、液晶サイズが限られているコンシューマ向け機器において、複数の設定項目に要する操作回数を減らすことができ、利用者にとって分かり易い画像処理装置を提供することを目的とする。
【課題を解決するための手段】
【００２１】
本発明は、第１の指示手段によって指示された複数の設定項目のうちの１つの設定項目が、第１の選択手段によって選択されたときに、第１の画面から第２の画面に表示を切り替える切替手段を有する。また、本発明は、上記第２の画面に表示されている上記複数の選択肢のうちで、第２の指示手段の指示に応答して、全ての選択肢をループ状に表示するように上記第２の画面を切り替える表示入力装置である。
【発明の効果】
【００２２】
本発明によれば、液晶サイズが限られているコンシューマ向け機器において、複数の設定項目に要する操作回数を減らすことができ、利用者にとって分かり易いという効果を奏する。
【発明を実施するための最良の形態】
【００２３】
発明を実施するための最良の形態は、次の実施例である。
【実施例１】
【００２４】
図１は、本発明の実施例１である表示入力装置を備えた画像処理装置１００の概略構成を示すブロック図である。
【００２５】
画像処理装置１００は、ＣＰＵ１と、ＲＯＭ２と、ＲＡＭ３と、画像メモリ４と、データ変換部５と、読取制御部６と、読取部７と、表示操作部８と、通信制御部９と、解像度変換処理部１０と、符号復号化処理部１１とを有する。また、画像処理装置１００は、記録制御部１２と、ＵＳＢファンクション制御部１３と、ＵＳＢホスト制御部１４と、記録部１５と、ＣＰＵバス１６とを有する。
【００２６】
ＣＰＵ１は、システム制御部であり、画像処理装置１００の全体を制御する。
【００２７】
ＲＯＭ２は、ＣＰＵ１が実行する制御プログラムやデータテーブル、組み込みオペレーティングシステム（ＯＳ）プログラム等の固定データを格納する。実施例１において、ＲＯＭ２に格納されている各制御プログラムは、ＲＯＭ２に格納されている組み込みＯＳの管理下で、スケジューリングやタスクスイッチ、割り込み処理等のソフトウエア実行制御を行う。
【００２８】
ＲＡＭ３は、バックアップ電源を必要とするＳＲＡＭ（Ｓｔａｔｉｃ  Ｒａｎｄｏｍ  Ａｃｃｅｓｓ  Ｍｅｍｏｒｙ）等で構成され、図示しないデータバックアップ用の１次電池によってデータが保持されている。ＲＡＭ３には、データが消去されては困るプログラム制御変数等を格納する。また、オペレータが登録した設定値や画像処理装置１００の管理データ等を格納するメモリエリアも設けられている。
【００２９】
画像メモリ４は、ＤＲＡＭ（Ｄｙｎａｍｉｃ  Ｒａｎｄｏｍ  Ａｃｃｅｓｓ  Ｍｅｍｏｒｙ）等で構成され、画像データを蓄積する。また、一部の領域をソフトウエア処理の実行のためのワークエリアとして確保してある。
【００３０】
データ変換部５は、ページ記述言語（ＰＤＬ：Ｐａｇｅ  Ｄｅｓｃｒｉｐｔｉｏｎ  Ｌａｎｇｕａｇｅ）等の解析や、キャラクタデータのＣＧ（Ｃｏｍｐｕｔｅｒ  Ｇｒａｐｈｉｃｓ）展開等、画像データの変換を行う。
【００３１】
読取制御部６は、読取部７に設けられているＣＩＳイメージセンサ（密着型イメージセンサ）に、原稿を光学的に読み取らせる。読取制御部６は、この読み取った、電気的な画像データに変換した画像信号を、図示しない画像処理制御部を介して、２値化処理や中間調処理等の各種画像処理を施し、高精細な画像データを出力する。なお、実施例１では、読取制御部６、読取部７は、原稿を搬送しながら、固定されているＣＩＳイメージセンサで読み取りを行うシート読取制御方式に対応している。原稿台に固定されている原稿を、移動するＣＩＳイメージセンサでスキャンするブック読取制御方式に対応しているようにしてもよい。
【００３２】
表示操作部８は、数値入力キー、文字入力キー、モード設定キー、決定キー、取り消しキー等の各種キーを備えた操作部８２と、ＬＥＤ（発光ダイオード）とＬＣＤ（液晶ディスプレイ）等を備えた表示部８１とによって構成されている。表示操作部８は、画像処理装置としての各種機能や、画像処理装置１００の動作状況、ステータス状況の表示等を行う。
【００３３】
通信制御部９は、ＭＯＤＥＭ（変復調装置）や、ＮＣＵ（網制御装置）等によって構成されている。実施例１において、通信制御部９は、アナログの通信回線（ＰＳＴＮ）１７に接続され、Ｔ３０プロトコルでの通信制御、通信回線に対する発呼と着呼等の回線制御を行っている。
【００３４】
解像度変換処理部１０は、ミリ系の画像データとインチ系の画像データとの相互変換等の解像度変換制御を行う。なお、解像度変換処理部１０において、画像データの拡大縮小処理も可能である。
【００３５】
符号復号化処理部１１は、画像処理装置１００で扱う画像データ（非圧縮、ＭＨ、ＭＲ、ＭＭＲ、ＪＢＩＧ、ＪＰＥＧ等）を相互に符号復号化処理し、拡大縮小処理を行う。
【００３６】
記録制御部１２は、印刷される画像データについて、図示しない画像処理制御部を介して、スムージング処理、記録濃度補正処理、色補正等の各種画像処理を施すことによって、高精細な画像データに変換し、ＵＳＢホスト制御部１４（後述）に出力する。また、ＵＳＢホスト制御部１４を制御することによって、定期的に記録部１５の状態情報データを取得する役割も果たす。
【００３７】
ＵＳＢファンクション制御部１３は、ＵＳＢインタフェースの通信制御を行い、ＵＳＢ通信規格に従ってプロトコル制御を行う。また、ＣＰＵ１が実行するＵＳＢファンクション制御タスクからのデータを、パケットに変換し、外部の図示しないＰＣにＵＳＢパケット送信を行い、外部のＰＣからのＵＳＢパケットを、データに変換し、ＣＰＵ１に送信する。
【００３８】
ＵＳＢホスト制御部１４は、ＵＳＢ通信規格で定められているプロトコルで通信を行う制御部である。ＵＳＢ通信規格は、双方向のデータ通信を高速に行うことができる規格であり、１台のホスト（マスター）に、複数のハブまたはファンクション（スレーブ）を接続することができる。ＵＳＢホスト制御部１４は、ＵＳＢ通信におけるホストの機能を有する。
【００３９】
記録部１５は、図示しない専用ＣＰＵで制御するレーザビームプリンタやインクジェットプリンタ等からなる記録装置であり、ＵＳＢインタフェース経由で受信したカラー画像データ、またはモノクロ画像データを印刷部材に印刷する。ＵＳＢホスト制御部１４との間で、ＵＳＢ通信規格に定められているプロトコルで通信し、特に、記録部１５はファンクションの機能を有する。実施例１において、記録機能のＵＳＢ通信は、１対１の接続形態を用いる。また、実施例１において、ＵＳＢ対応とする。
【００４０】
上記構成要素１〜６、８〜１４は、ＣＰＵ１が管理するＣＰＵバス１６を介して、相互に接続されている。
【００４１】
図２は、実施例１における表示操作部８、表示部８１、操作部８２を示す図である。
【００４２】
表示操作部８には、表示部８１と、操作部８２とを構成するボタン２１〜３４とダイヤル３０とが配置されている。
【００４３】
各ボタン２１〜３４を押下することによって、内部スイッチが接触し、各ボタンが押下されたことを、表示操作部８の制御部等を介して、ＣＰＵ１に通知される。
【００４４】
次に、各ボタンのＵＩ上の働きを簡単に説明する。
【００４５】
ボタン２１〜２３は、画像処理装置１００の動作モードを切り替えるボタンであり、ボタン２１を押下すると、コピーモードに遷移し、ボタン２２を押下すると、ファクスモードに遷移し、ボタン２３を押下すると、フォトモードに遷移する。
【００４６】
メニューボタン２４を押下すると、各モードの動作や画像処理装置１００の設定を行うメニューを表示する。
【００４７】
戻るボタン２５を押下すると、メニュー内の階層において、１つ上の階層に戻る。決定ボタン２６を押下すると、現在選ばれている対象を選択する。方向指示ボタン３１〜３４を押下すると、表示部８１に表示されている選択肢を選択するカーソル等を特定の方向に移動させる。ボタン３１、３２、３３、３４が、それぞれ、右、上、下、左の意味を持つ。画面によっては、個別の機能を持つようにしてもよい。
【００４８】
ダイヤル３０は、他のボタンと違い、図２中の矢印のように、回転動作をする。現在の角度を、常にＣＰＵ１に通知することによって、または回転される度にＣＰＵ１に通知することによって、回転されたことを認識し、回転された方向、回転された角度を、算出する。また、特定の角度ごとに引っかかりを持たせ、引っかかり１つ分を回しやすくするようにしてもよい。この場合、引っかかり１つ分で、方向指示ボタン１押下分と同じ役割を持たせるようにしてもよく、利用者の好みによって、選択動作を方向指示ボタンとダイヤル３０との２つを使い分けることができる。
【００４９】
なお、方向指示ボタンのうちで、カーソル等を特定の方向に移動させる左右方向指示ボタン３４、３１のみを使用し、メニューボタン２４の代わりに、上方向指示ボタン３２をメニューボタンとして使用するようにしてもよい。また、決定ボタン２６の代わりに、下方向指示ボタン３３を決定ボタンとして使用するようにしてもよい。
【００５０】
次に、実施例１の動作について説明する。なお、内部のソフトウエア動作については、後述する。
【００５１】
図３は、実施例１において表示される画面の例を示す図である。
【００５２】
第１の画面４０は、各設定項目を選び、決定する画面である。図３に示す例では、設定すべき項目が、用紙設定４１と、紙種設定４２と、画質設定４３との３つであるとした。実際の画像処理装置では、設定すべき項目が４つ以上であるが、ここでは、便宜的に３つであるとする。これらのうちで、どれを利用者に設定させるかを、カーソルＣ１で指し示す。
【００５３】
方向指示ボタン３１〜３４を押すと、カーソルＣ１が、設定項目４１〜４３の上を移動し、決定ボタン２６が押されると、カーソルＣ１が現在指し示している設定項目を選択する。そして、設定項目の選択肢を選択させる第２の画面５０に移行する。
【００５４】
第２の画面５０は、設定項目４１〜４３に対応する選択肢を、利用者に選択させる画面である。実施例１では、用紙設定４１に対応する選択肢が、Ａ４の用紙５１、Ｂ５の用紙５２、ＬＴＲ５３である。紙種設定４２に対応する選択肢が、普通紙５４、マット紙５５、光沢紙５６である。画質設定４３に対応する選択肢が、ふつう５７、きれい５８、はやい５９である。実際の画像処理装置には、紙サイズの種類、紙種、画質の種類の各選択肢が設けられ、選択肢はもっと多いが、ここでは便宜的にこれだけであるとする。
【００５５】
第２の画面５０には、符号５１〜５９が示すように、各選択項目の選択肢が連続的に表示されている。各設定項目における選択肢同士が混ざって見にくくならないように、区切りＰ１、Ｐ２が表示されている。第２の画面５０に示すように、選択肢のグループごとに、文字や背景の色を変えるようにしてもよい。また、各選択肢には、アイコンＩＣＮ１のようなアイコンを表示するようにしてもよい。
【００５６】
第２の画面５０には、“■”と“□”との２種類のアイコンＩＣＮ１が表示されている。これは、現在選択され画像処理装置１００に記憶されている選択肢であるか、または、それが装置のデフォルト設定である選択肢であれば、“■”を表示し、それ以外の選択肢であれば、“□”を表示する。または、別なアイコンを用いるようにしてもよい。さらに、選択肢の性質によっては、複数または全部を選択するようにしてもよく、この場合、複数の選択肢に“■”が表示される。
【００５７】
これらの選択肢の全てを個々にカーソルＣ２によって指し示すことができ、方向指示ボタン３１〜３４を用いて、カーソルＣ２を移動することができる。このときに、これらの選択肢の全てが、表示部８１に入らない場合（選択肢の全てを同時表示することができない場合）が多いと考えられる。この場合、表示できる範囲、たとえば図中、点線で示す範囲Ｒ１等、カーソルＣ２を含む範囲を表示し、カーソルＣ２の移動によって、表示範囲Ｒ１が変わるようにしてもよい。
【００５８】
また、その際に、第２の画面６０のような表示方法も考えられる。第２の画面６０において、表示すべき内容は、第２の画面５０と同一である。ただ、全ての選択肢を１画面に表示することができないので、回転するドラムをイメージした円柱６１を表示し、この円柱６１上に、カーソルＣ２を含む選択肢５１〜５５を表示する。カーソルＣ２の動きに応じて、カーソルＣ２や、円柱６１における表示範囲が変わり、最終的には選択肢の全てを表示し、選択できる。この場合、選択肢の両端５１と５９とは、両端で互いにつながっているように表示してもよく、すなわち選択肢５９の下に、選択肢５１が表示されるようにしてもよく、行き止まりの表現とし、選択肢５９の下に空欄を設けるようにしてもよい。
【００５９】
また、この表示方法を採用した場合、方向指示ボタン３１〜３４だけを用いるのではなく、ダイヤル３０を用い、カーソル、選択肢５１〜５９、または両方を、移動させるようにしてもよい。このようにすれば、ダイヤル３０と円柱６１とがともに回転動作するので、直感的な操作を利用者に提供することができる。
【００６０】
第２の画面５０は、選択肢５１〜５９が表示されている。表示できる範囲Ｒ１だけを表示するようにしてもよく、また、円柱６１の上に表示される分だけ表示するようにしてもよい。ここで、方向指示ボタン３１〜３４を押すか、またはダイヤル３０を回すことによって、カーソルＣ２を選択肢５１〜５９の上を移動させる。場合によっては、この動作につれて、表示範囲も移動する。そこで、決定ボタン２６を押すと、カーソルの当たっている選択肢が選択されたことが記憶される。また、その選択肢のアイコンＩＣＮ１が未選択を表す“□”から、選択を表す“■”に変更される。
【００６１】
その設定項目が選択肢１つしか持たなければ、他の選択肢は“■”から“□”に変わる。たとえば、図３に示すように、（“■”Ａ４、“□”Ｂ５、“□”ＬＴＲ）の状態で、Ｂ５を選択すると、（“□”Ａ４、“■”Ｂ５、“□”ＬＴＲ）のように表示が変化する。複数の選択を許す設定項目であれば、（“■”Ａ４、“■”Ｂ５、“□”ＬＴＲ）と表示するようにしてもよい。
【００６２】
また、第２の画面５０に表示されている戻るボタン２５が押されると、第１の画面４０に移る。第１の画面４０が表示されると、各設定項目４１、４２、４３に対応する選択肢にカーソルを合わせる。たとえば、第２の画面５０で選択肢５１〜５３にカーソルＣ２が当たっているときに、戻るボタン２５を押すと、第１の画面４０では、設定項目４１にカーソルＣ１が当たった状態になる。
【００６３】
次に、利用者が、実際にキー操作をする場合の動作について説明する。
【００６４】
まず、利用者は、待機画面等で、メニューボタン２４を押下することによって、図３（１）に示す第１の画面４０が表示される。
【００６５】
ここで、利用者は、上方向指示ボタン３２、下方向指示ボタン３３を押下することによって、カーソルＣ１を移動する。そのなかで、カーソルＣ１を使用して、用紙設定４１を選び、決定ボタン２６を押下する。
【００６６】
ここで、第２の画面５０が表示され、用紙設定の現在の値、またはデフォルトであるＡ４の用紙５１を、最初、カーソルＣ２が指し示している。また、Ａ４の用紙５１が現在の値またはデフォルトであるので、先頭のアイコンは“■”になっている。
【００６７】
ここで、利用者は、現在の用紙設定４１の値を確認するにとどめ、そのまま、下方向指示ボタン３３によって、カーソルＣ２を下に移動する。
【００６８】
紙種設定である普通紙５４から、スクロールすることによって、光沢紙５６が画面に表示される。
【００６９】
ここで、利用者は、現在の値であるマット紙５５を普通紙５４に変更するために、カーソルＣ２を普通紙５４に合わせ、決定ボタン２６を押下する。これによって、紙種設定４２の現在の値は、普通紙５４に変更され、記憶される。紙種設定４２は、１つの値しかとらないので、マット紙５５のアイコンは“□”となり、普通紙５４のアイコンは“■”と表示される。利用者は、さらに、下方向指示ボタン３３によって、カーソルＣ２を移動する。
【００７０】
画質設定４３の選択肢であるふつう５７から、はやい５９までが表示される。ここでも、利用者は、現在の値を確認するのみであり、カーソルＣ２は、はやい５９を指し示している状態で、決定ボタン２６を押さずに、戻るボタン２５を押す。これによって、第１の画面４０に切り替わる。最後に、カーソルが指し示していたはやい５９は、画質設定の選択肢の１つであるので、カーソルＣ１が、画質設定４３を指し示した状態になる。
【００７１】
ここで、利用者は、さらに、戻るボタン２５を押下し、待機画面等に戻る。
【００７２】
上記操作によって、第１の画面４０→第２の画面５０→第１の画面４０のように、１回だけ階層を上り下りしただけである。しかし、利用者が、用紙設定４１、紙種設定４２、画質設定４３の現在の値を知ることができ、紙種設定４２の設定値マット紙５５から、普通紙５４に変更することもできる。
【００７３】
つまり、第１の画面４０は、複数の設定項目を表示する第１の画面の例である。
【００７４】
カーソルＣ１は、第１の画面上で、上記複数の設定項目のうちの１つを利用者が指し示す場合に操作する第１の指示手段の例である。
【００７５】
決定ボタン２６は、上記第１の画面上で、上記第１の指示手段を介して、上記複数の設定項目のうちの１つを指し示しているときに、上記複数の設定項目の１つを利用者が選択する場合に操作する第１の選択手段の例である。
【００７６】
第２の画面５０は、上記複数の設定項目の１つが、上記第１の選択手段を介して選択されると、選択された設定項目について、複数の選択肢を表示する第２の画面上で、上記複数の選択肢のうちの１つを利用者が指し示す場合に操作する第２の指示手段の例である。
【００７７】
カーソルＣ２は、上記第２の画面上で、上記第２の指示手段を介して、上記複数の選択肢のうちの１つを指し示しているときに、上記複数の選択肢の１つを、利用者が選択する場合に操作する第２の選択手段の例である。
【００７８】
また、上記第２の画面は、上記複数の設定項目のそれぞれに対応する上記複数の選択肢が互いに連続的に表示されている画面の例である。
【００７９】
さらに、上記実施例において、上記第１の画面に表示されている上記複数の設定項目のうちの１つの設定項目を、上記第１の指示手段を介して、利用者が指示し、上記第１の選択手段を介して選択したときに、上記第２の画面に表示を切り替える。また、上記実施例において、上記第２の画面に表示されている上記複数の選択肢のうちで、選択した上記設定項目に対応する上記選択肢に、利用者が上記第２の指示手段を移動すると、上記第２の画面は、全ての上記選択肢を連続的に移動する画面である。
【００８０】
図４は、実施例１において、図３に示す第１の画面４０を使用した動作を示すフローチャートである。
【００８１】
まず、第１の画面４０は、待機画面と呼ばれる画面において、メニューボタン２４を押したときに表示される画面であり、公知であるので、その詳細な説明を割愛する。
【００８２】
Ｓ１では、第１の画面４０に対応する画面を描画する。第１の画面４０に表示されている入力指示「選択してください」と、設定項目４１〜４３と、カーソルＣ１とを表示する。また、画面表示例では省略しているが、必要であれば、タイトル、ガイド、背景等を表示するようにしてもよい。カーソルＣ１を表示するために、カーソルがどの設定項目を指しているかを示すカーソル位置情報を保存している。
【００８３】
Ｓ２で、戻るボタン２５が押下されたかどうかをチェックする。戻るボタン２５が押下されると、Ｓ３に進み、戻るボタン２５が押下されなければ、Ｓ４に処理を移す。
【００８４】
Ｓ３で、待機画面に戻る。Ｓ４で、決定ボタン２６が押下されたかどうかをチェックし、決定ボタン２６が押下されていれば、Ｓ５に進み、決定ボタン２６が押下されていなければ、Ｓ６に処理を移す。
【００８５】
Ｓ５で、第２の画面５０のソフトフローに遷移し、この詳細を後述する。Ｓ６で、方向指示ボタン３１〜３４が押下されたかどうかをチェックする。押下されていなければ、Ｓ１に処理を戻し、押下されていれば、Ｓ７に処理を移す。
【００８６】
Ｓ７で、現在のカーソル位置情報を確認する。実施例１は、第１の画面４０に示すような表示レイアウトであるので、上方向指示ボタン３２で上方向、下方向指示ボタン３３で下方向にカーソルを動かす。左方向指示ボタン３４、右方向指示ボタン３１、ダイヤル３０を用いる場合も、上記と同様の処理を行う。カーソル位置情報を確認し、用紙設定４１のような上端では、上方向指示ボタン３２を押下しても、押下動作が無効である。画質設定４３のような下端では、下方向指示ボタン３３を押下しても、押下動作が無効である。したがって、Ｓ１に処理を戻す。そうでなければ、Ｓ８に処理を移す。なお、両端でループさせる場合には、この限りではない。
【００８７】
Ｓ８で、カーソル位置情報として、方向指示ボタンの方向へ１つずらした位置情報を保存し、処理をＳ１に戻す。
【００８８】
図５は、実施例１において、図３に示す第２の画面５０を使用した動作を示すフローチャートである。
【００８９】
Ｓ１１で、第２の画面５０に対応する画面を描画する。第２の画面５０に示すように、入力指示「選択してください」や、選択肢５１〜５９と、カーソルＣ２と、アイコンＩＣＮ１とを表示する。アイコンＩＣＮ１は、設定項目ごとに、現在どの選択肢が選択されているのかを示す設定項目情報に応じて、表示される。また、画面表示例では、省略しているが必要であれば、タイトル、ガイド、背景、円柱６１等を表示するようにしてもよい。カーソルＣ２を表示するために、カーソルＣ２がどの選択肢を指しているのかを示すカーソル位置情報を保存している。
【００９０】
Ｓ１２で、戻るボタン２５が押下されたかどうかをチェックし、戻るボタン２５が押下されていれば、Ｓ１３に進み、戻るボタン２５が押下されていなければ、Ｓ１４に処理を移す。Ｓ１３で、Ｓ１の処理へ移る。
【００９１】
Ｓ１４で、決定ボタン２６が押下されたかどうかをチェックする。決定ボタン２６が押下されていれば、Ｓ１５に進み、決定ボタン２６が押下されていなければ、Ｓ１６に処理を移す。
【００９２】
Ｓ１５で、カーソルが表示されていた選択肢の帰属する設定項目情報を、現在カーソルが表示されている場所に表示されている選択肢情報に書き換える。設定項目が複数の選択肢を許容する場合、選択肢情報に追記する。いずれにしても、この選択肢は、対応するアイコンＩＣＮ１が黒く表示される。
【００９３】
Ｓ１６で、方向指示ボタン３１〜３４が押下されたかどうかをチェックする。押下されていなければ、Ｓ１１に処理を戻し、押下されていれば、Ｓ１７に処理を移す。
【００９４】
Ｓ１７で、現在のカーソル位置情報を確認する。実施例１は、第２の画面５０のような表示レイアウトであるので、上方向指示ボタン３２を押下すると、上方向にカーソルを動かし、下方向指示ボタン３３を押下すると、下方向にカーソルを動かす。左方向指示ボタン３４、右方向指示ボタン３１、ダイヤル３０を用いる場合も、上記と同様に処理する。
【００９５】
カーソル位置情報を確認し、選択肢５１のような上端で、上方向指示ボタン３２を押下しても無効であり、選択肢５９のような下端で、下方向指示ボタン３３を押下しても無効である。したがって、Ｓ１１に処理を戻す。そうでなければ、Ｓ１８に処理を移す。なお、両端でループさせたい場合、この限りではない。
【００９６】
Ｓ１８では、カーソル位置情報として、方向指示ボタンの方向へ１つずらした情報を保存し、処理をＳ１１に戻す。
【００９７】
上記実施例によれば、複数の設定項目を設定する場合、無駄な階層の上り下りをする必要がない。また、上記実施例によれば、複数の設定項目のそれぞれの選択肢を、少ない操作回数で設定する動作を完了することができる。
【００９８】
さらに、上記実施例によれば、各設定項目のデフォルトや前回設定された内容も、その都度、階層の上り下りをせずに、一度に閲覧することができる。そして、上記実施例によれば、複数の設定項目のうち、途中の１つだけを設定する場合、１操作で目的の選択肢にたどり着くことができる。
【００９９】
また、上記実施例によれば、その途中の選択肢１つだけ設定することができ、さらに、その途中の選択肢のどこからでも、１操作で元の画面に戻ることができる。
【図面の簡単な説明】
【０１００】
【図１】本発明の実施例１である表示入力装置を備えた画像処理装置１００の概略構成を示すブロック図である。
【図２】実施例１における表示操作部８、表示部８１、操作部８２を示す図である。
【図３】実施例１において表示される画面の例を示す図である。
【図４】実施例１において、図３に示す第１の画面４０を使用した動作を示すフローチャートである。
【図５】実施例１において、図３に示す第２の画面５０を使用した動作を示すフローチャートである。
【図６】従来よく知られている設定の入力方法を説明する図である。
【図７】従来よく知られている設定の入力方法を示す図である。
【符号の説明】
【０１０１】
１００…画像処理装置、
１…ＣＰＵ、
２…ＲＯＭ、
３…ＲＡＭ、
４…画像メモリ、
７…読取部、
８…表示操作部、
８１…表示部、
８２…操作部、
１０…解像度変換処理部、
１５…記録部、
２６…決定ボタン、
４０…第１の画面、
Ｃ１…カーソル、
５０…第２の画面、
Ｃ２…カーソル、
ＩＣＮ１…アイコン、
６０…第２の画面。
【図１】
2008040957.tif 000003
【図２】
2008040957.tif 000004
【図３】
2008040957.tif 000005
【図４】
2008040957.tif 000006
【図５】
2008040957.tif 000007
【図６】
2008040957.tif 000008
【図７】
2008040957.tif 000009